(57)【特許請求の範囲】
【請求項１】
背面部材と腹面部材とが対向接合してなり、磁性体と非接触情報記録媒体が内蔵された麻雀牌であって、
前記背面部材は、平面部上に側壁が前記腹面部材側に起立してなり、前記磁性体を収容した収容部を有し、
前記非接触情報記録媒体は、前記収容部を取り囲むように配置されている麻雀牌。
【請求項２】
請求項１に記載の麻雀牌において、
前記背面部材と前記腹面部材との少なくともいずれか一方は、前記非接触情報記録媒体の少なくとも一部が収容される溝を有する麻雀牌。
【発明の詳細な説明】
【技術分野】
【０００１】
本発明は、磁性体と非接触情報記録媒体を内蔵する麻雀牌に関する。
【背景技術】
【０００２】
近年、雀荘等においては、麻雀牌の山を卓上にセットする築牌を自動で行う自動麻雀卓が普及している。このような自動麻雀卓に用いられる麻雀牌は、磁石に吸着される磁性体が内蔵されており、この磁性体によって特定の方向から麻雀牌が吸着されることで同じ向きになるように卓上に築牌されることになる。
【０００３】
さらには、非接触状態にて情報の読み取りが可能なＩＣチップを内蔵した麻雀牌も考えられており、ＩＣチップを内蔵した麻雀牌を麻雀ゲームに使用することにより、点数を自動的に計算したり、ゲームの進め方を参加者に教示したりすることができる（例えば、特許文献１，２参照）。
【０００４】
ところで、自動麻雀卓用に磁性体を内蔵したものにおいては、ＩＣチップ等の非接触情報記録媒体と、この非接触情報記録媒体から非接触状態にて情報を読み取る読み取り手段との間に磁性体が介在した場合、非接触情報記録媒体からの情報の読み取りが阻害されてしまう。そのため、非接触情報記録媒体を、麻雀牌のうち情報の読み取りが行われる面側に配置しておく必要がある（例えば、特許文献３参照）。
【先行技術文献】
【特許文献】
【０００５】
【特許文献１】特公平７−１０００８７号公報
【特許文献２】特開２００４−８７０１号公報
【特許文献３】特開２００８−２８９７６３号公報
【発明の概要】
【発明が解決しようとする課題】
【０００６】
上述したように、磁性体と非接触情報記録媒体を内蔵した麻雀牌においては、非接触情報記録媒体と、この非接触情報記録媒体から非接触状態にて情報を読み取る読み取り手段との間に磁性体が介在した場合、非接触情報記録媒体に対する情報の読み取りが阻害されてしまうため、その読み取り方向が制限されてしまうという問題点がある。麻雀ゲームにおいては、麻雀牌を麻雀卓上に様々な向きで置くことになるため、読み取り方向が制限されてしまうと、麻雀牌が特定の向きで麻雀卓上に置かれた場合にしか非接触情報記録媒体に対する情報の読み取りを行うことができなくなってしまい、配牌された状態、捨てられた状態等、牌があらゆる状態であっても非接触情報記録媒体に対する情報の読み取りを行うということが不可能となってしまう。
【０００７】
本発明は、上述したような従来の技術が有する問題点に鑑みてなされたものであって、磁性体を内蔵しながらも非接触情報記録媒体に対して読み取り方向の制限なく情報の読み取りを行うことができる麻雀牌を提供することを目的とする。
【課題を解決するための手段】
【０００８】
上記目的を達成するために本発明は、
背面部材と腹面部材とが対向接合してなり、磁性体と非接触情報記録媒体が内蔵された麻雀牌であって、
前記背面部材は、平面部上に側壁が前記腹面部材側に起立してなり、前記磁性体を収容した収容部を有し、
前記非接触情報記録媒体は、前記収容部を取り囲むように配置されている。
【０００９】
上記のように構成された本発明においては、背面部材と腹面部材とが対向接合してなる構成において、内蔵された磁性体によって特定の方向から麻雀牌が吸着されることで同じ向きになるように麻雀卓上に築牌されることになり、また、内蔵された非接触情報記録媒体に対して情報の読み取りが行われることにより、点数を自動的に計算したり、ゲームの進め方を参加者に教示したりすることができる。ここで、背面部材は、平面部上に側壁が腹面部材側に起立してなる収容部を有し、この収容部に磁性体が収容されており、非接触情報記録媒体が収容部を取り囲むように配置されているので、非接触情報記録媒体から非接触状態にて情報を読み取る読み取り手段によって非接触情報記録媒体に対する情報の読み取りをいかなる方向から行った場合でも、読み取り手段と磁性体との間に非接触情報記録媒体の一部が存在することとなり、それにより、非接触情報記録媒体に対して読み取り方向の制限なく情報の読み取りを行うことができる。
【００１０】
また、背面部材と腹面部材との少なくともいずれか一方に、非接触情報記録媒体の少なくとも一部が収容される溝を設けることにより、背面部材と腹面部材とを接合させる際に、非接触情報記録媒体への圧力による負荷が軽減されて、非接触情報記録媒体が破損してしまうことが回避される。
【００１１】
また、前記背面部材は、前記収容部の周囲であって前記腹面部材と当接する領域に第１の溝を有し、
前記腹面部材は、前記第１の溝に対向する領域に、前記第１の溝と併せた容積が前記非接触情報記録媒体の特定部分が収容可能な程度となる第２の溝を有し、
前記非接触情報記録媒体の特定部分が、前記第１の溝と前記第２の溝とが対向してなる収容溝に収容されている構成としてもよい。
【００１２】
また、前記溝や前記収容溝の容積が、前記非接触情報記録媒体の特定部分の体積よりも大きく、前記溝や前記収容溝に生じた空隙に振動低減部材が充填されている構成としてもよい。
【発明の効果】
【００１３】
以上説明したように本発明においては、磁性体を収容した収容部を取り囲むように非接触情報記録媒体が配置されている構成としたため、非接触情報記録媒体から非接触状態にて情報を読み取る読み取り手段によって非接触情報記録媒体に対する情報の読み取りをいかなる方向から行った場合でも、読み取り手段と磁性体との間に非接触情報記録媒体の一部が存在することとなり、それにより、磁性体を内蔵しながらも非接触情報記録媒体に対して読み取り方向の制限なく情報の読み取りを行うことができる。
【００１４】
また、背面部材と腹面部材との少なくともいずれか一方が、非接触情報記録媒体の少なくとも一部が収容される溝を有するものにおいては、背面部材と腹面部材とを接合させる際に、非接触情報記録媒体への圧力による負荷が軽減されて、非接触情報記録媒体が破損してしまうことを回避することができる。
【図面の簡単な説明】
【００１５】
【図１】本発明の麻雀牌の実施の一形態を示す図であり、（ａ）は外観斜視図、（ｂ）は内部構造を示す断面図、（ｃ）は背面部材の外観斜視図、（ｄ）は背面部材を上から見た図である。
【図２】図１に示した麻雀牌のＩＣチップに対する情報の読み取り状態を説明するための図である。
【図３】本発明の麻雀牌の他の実施の形態を示す図であり、（ａ）は背面部材の断面図、（ｂ）は背面部材の側面図である。
【図４】本発明の麻雀牌の他の実施の形態を示す図であり、（ａ）は背面部材の断面図、（ｂ）は背面部材を上から見た図である。
【図５】本発明の麻雀牌の他の実施の形態を示す図であり、（ａ）は腹面部材の断面図、（ｂ）は内部構造を示す断面図である。
【発明を実施するための形態】
【００１６】
以下に、本発明の実施の形態について図面を参照して説明する。
【００１７】
図１は、本発明の麻雀牌の実施の一形態を示す図であり、（ａ）は外観斜視図、（ｂ）は内部構造を示す断面図、（ｃ）は背面部材１０の外観斜視図、（ｄ）は背面部材１０を上から見た図である。
【００１８】
本形態の麻雀牌は図１に示すように、樹脂材料からなる背面部材１０と腹面部材２０とが対向して熱融着によって接合されて構成されている。
【００１９】
背面部材１０は、平面部１３上に側壁１２が腹面部材２０側に起立してなる収容部１１を有している。収容部１１は、その外形が平面部１３よりも一回り小さくなっており、それにより、平面部１３には収容部１１の外側にフランジ部１４が存在している。収容部１１には、真ちゅう３２と磁性体であるフェライト３１が積み重ねられて収容されており、これらフェライト３１と真ちゅう３２は、収容部１１の側壁１２に設けられた凹部１６によって固定されている。フェライト３１は、この麻雀牌１を同じ向きになるように麻雀卓上に築牌する際に特定の方向から麻雀牌１を磁石に吸着するためのものである。そのため、フェライト３１と真ちゅう３２がこのように積み重ねられた状態では、麻雀牌１は背面部材１０側から磁石に吸着されることになる。真ちゅう３２は、麻雀牌１を、樹脂のみや樹脂と竹材等からなる一般的な麻雀牌と同程度の重さとするための重量調整用の部材である。
【００２０】
収容部１１の側壁１２には、フランジ部１４上にてアンテナ４２が巻き付けられており、このアンテナ４２にはＩＣチップ４１が接続されている。これらアンテナ４２とＩＣチップ４１とから本願発明の非接触情報記録媒体が構成されている。これにより、非接触情報記録媒体が、収容部１１を取り囲むように配置されていることになる。ＩＣチップ４１は、固有のＩＤが書き込まれており、この固有のＩＤが電磁誘導によってアンテナ４２を介して非接触状態にて読み取られる。また、ＩＣチップ４１は不図示の耐熱樹脂によって覆われている。これは、背面部材１０と腹面部材２０との熱融着が、例えば１５０℃にて行われるのに対して、ＩＣチップ４１の耐熱温度が５０℃程度であることが多いことから、背面部材１０と腹面部材２０とが熱融着によって接合される際にＩＣチップ４１を熱から保護するためである。なお、アンテナ４２が側壁１２に巻き付けられる位置は、フランジ部１４上に限らないが、アンテナ４２が真ちゅう３２に近づくとＩＣチップ４１に対する読み取り可能距離が短くなってしまうため、フランジ部１４上に近接した位置であることが最も好ましい。
【００２１】
腹面部材２０は、中空の箱型形状のものであり、収容部１１を覆って背面部材１０と対向接合されており、その表面には、牌の種類を示す文字２１や数字が刻み込まれている。
【００２２】
以下に、上記のように構成された麻雀牌１の利用方法について説明する。
【００２３】
図１に示した麻雀牌１は、背面部材１０の収容部１１にフェライト３１と真ちゅう３２が収容されており、フェライト３１が背面部材１０側となるようにこれらが積み重ねられているため、麻雀牌１に磁石を近づけると麻雀牌１が背面部材１０側から磁石に吸着され、それにより、麻雀牌１が同じ向きになるように麻雀卓上に築牌される。
【００２４】
麻雀牌１が麻雀卓上に築牌された後、麻雀ゲームが開始される。麻雀卓には、ＩＣチップ４１に書き込まれたＩＤをアンテナ４２を介して読み取るための読み取り手段が主要な箇所に設けられており、この読み取り手段にてＩＣチップ４１からＩＤが読み取られると、このＩＤに基づいて牌の種類が特定される。なお、ＩＣチップ４１に書き込まれたＩＤとその牌の種類とは、読み取り手段に接続されたデータベースにて対応づけられている。
【００２５】
そして、特定された牌の種類に基づいて、点数を自動的に計算したり、ゲームの進め方を参加者に教示したりすることになる。
【００２６】
ここで、麻雀ゲームが開始された後においては、麻雀牌１は、配牌された状態、捨てられた状態等、様々な向きで麻雀卓上に置かれることになる。そのため、麻雀卓に設けられた読み取り手段には、麻雀牌１を構成する６面のいずれかが対向することになる。
【００２７】
図２は、図１に示した麻雀牌１のＩＣチップ４１に対する情報の読み取り状態を説明するための図であり、腹面部材２０を省略した外観斜視図である。
【００２８】
上述したように本形態の麻雀牌１においては、アンテナ４２が、フェライト３１を収容した収容部１１の側壁１２に巻き付けられることにより、アンテナ４２及びＩＣチップ４１からなる非接触情報記録媒体がフェライト３１を取り囲むように配置されているため、図２に示すように、麻雀牌１を構成する６面に対向するＡ〜Ｆ方向のいかなる方向からＩＣチップ４１に対する読み取りを行った場合でも、その読み取り手段と、読み取り手段によるＩＣチップ４１からの情報の読み取りを阻害するフェライト３１との間にアンテナ４２の一部が存在することとなり、それにより、ＩＣチップ４１に対して読み取り方向の制限なくＩＤの読み取りを行うことができる。なお、ＩＣチップ４１に対するＩＤの読み取り可能距離は、例えば、一人の参加者の手牌のＩＤのみを読み取るために、他の参加者の麻雀牌１のＩＤを読み取ることができない程度の距離となる数十ｍｍ程度であることが好ましい。
【００２９】
これにより、麻雀ゲームが開始された後、麻雀牌１が配牌された状態においても、麻雀牌１が捨てられた状態においても、麻雀卓に設けられた読み取り手段によって、ＩＣチップ４１からＩＤを読み取りことができ、任意のタイミングで点数を自動的に計算したり、ゲームの進め方を参加者に教示したりすることができる。
【００３０】
（他の実施の形態）
図３は、本発明の麻雀牌の他の実施の形態を示す図であり、（ａ）は背面部材の断面図、（ｂ）は背面部材の側面図である。
【００３１】
本形態における麻雀牌は、図１に示したものに対して背面部材の構成のみが異なるものであり、図３に示すように、側壁１１２のフランジ部１１４との境界部分にその全周に渡って溝１１５が設けられている。そして、この溝１１５に、ＩＣチップ４１とアンテナ４２が収容されている。
【００３２】
上述したように背面部材１１０と腹面部材２０とを熱融着によって接合する場合、ＩＣチップ４１やアンテナ４２には、熱による負荷がかかるとともに、圧力による負荷がかかることになる。そのため、背面部材１１０と腹面部材２０とを熱融着した後に、背面部材１１０と腹面部材２０を構成する樹脂材料が冷えて収縮した際、ＩＣチップ４１の破損やアンテナ４２との接続不良等が生じてしまう虞れがある。
【００３３】
そこで、本形態のように、側壁１１２のフランジ部１１４との境界部分にその全周に渡って溝１１５を設け、この溝１１５にＩＣチップ４１とアンテナ４２を収容することにより、背面部材１１０と腹面部材２０とを熱融着によって接合する際、ＩＣチップ４１やアンテナ４２への圧力による負荷が軽減されて、ＩＣチップ４１の破損やアンテナ４２との接続不良が生じてしまうことを回避することができる。
【００３４】
図４は、本発明の麻雀牌の他の実施の形態を示す図であり、（ａ）は背面部材の断面図、（ｂ）は背面部材を上から見た図である。
【００３５】
本形態における麻雀牌は、図１に示したものに対して背面部材の構成のみが異なるものであり、図４に示すように、フランジ部２１４の側壁２１２との境界部分にその全周に渡って溝２１５が設けられている。そして、この溝２１５に、ＩＣチップ４１とアンテナ４２が収容されている。
【００３６】
本形態においても、フランジ部２１４の側壁２１２との境界部分に設けられた溝２１５にＩＣチップ４１とアンテナ４２が収容されていることにより、背面部材２１０と腹面部材２０とを熱融着によって接合する際、ＩＣチップ４１やアンテナ４２への圧力による負荷が軽減されて、ＩＣチップ４１の破損やアンテナ４２との接続不良が生じてしまうことを回避することができる。
【００３７】
図５は、本発明の麻雀牌の他の実施の形態を示す図であり、（ａ）は腹面部材の断面図、（ｂ）は内部構造を示す断面図である。
【００３８】
本形態における麻雀牌は、図１に示したものに対して腹面部材の構成のみが異なるものであり、図５に示すように、腹面部材３２０の、背面部材１０のフランジ部１４に当接する部分に、側壁１２に沿うようにしてその全周に渡って溝３２５が設けられている。そして、この溝３２５に、ＩＣチップ４１とアンテナ４２が収容されている。
【００３９】
本形態においても、腹面部材３２０に設けられた溝３２５にＩＣチップ４１とアンテナ４２が収容されていることにより、背面部材１０と腹面部材３２０とを熱融着によって接合する際、ＩＣチップ４１やアンテナ４２への圧力による負荷が軽減されてり、ＩＣチップ４１の破損やアンテナ４２との接続不良が生じてしまうことを回避することができる。
【００４０】
なお、図３〜図５に示したものにおいては、ＩＣチップ４１とアンテナ４２が、背面部材１１０，２１０や腹面部材３２０に設けられた溝１１５，２１５，３２５に収容されているが、ＩＣチップ４１のみが溝に収容される構成であってもよい。すなわち、図３や図４に示したものにおいては、背面部材１１０の側壁１１２や背面部材２１０のフランジ部２１４の一部に、ＩＣチップ４１が側壁１１２や平面部２１３の表面から突出しない程度の深さと面積の溝を設ければよい。また、図５に示したものにおいては、腹面部材３２０のフランジ部１４に当接する位置または近傍の位置に、ＩＣチップ４１の厚みに相当する深さでＩＣチップ４１を収容可能な面積の溝を設けてもよい。
【００４１】
また、背面部材のうち腹面部材と当接する領域となる側壁やフランジ部の一部に第１の溝を設けるとともに、腹面部材の第１の溝に対向する領域に、第１の溝と併せた容積が非接触情報記録媒体の特定部分となるＩＣチップ４１が収容可能な程度となる第２の溝を設け、これら第１の溝と第２の溝とが対向してなる収容溝にＩＣチップ４１が収容された構成とすることも考えられる。
【００４２】
さらに、上述した溝１１５，２１５，３１５や収容溝の容積が、ＩＣチップ４１の体積より大きな場合には、溝１１５，２１５，３１５や収容溝内に、これら容積と体積との差により生じる空隙を埋める程度に、振動抑止部材となる樹脂等のような材料を充填することにより、ＩＣチップ４１の振動を低減させることも考えられる。
【符号の説明】
【００４３】
１    麻雀牌
１０，１１０，２１０    背面部材
１１，１１１，２１１    収容部
１２，１１２，２１２    側壁
１３，１１３，２１３    平面部
１４，１１４，２１４，３１４    フランジ部
１６    凹部
２０，３２０    腹面部材
２１    文字
３１    フェライト
３２    真ちゅう
４１    ＩＣチップ
４２    アンテナ
１１５，２１５，３２５    溝
【図１】
0005750006.tif 000002
【図２】
0005750006.tif 000003
【図３】
0005750006.tif 000004
【図４】
0005750006.tif 000005
【図５】
0005750006.tif 000006